(57)【特許請求の範囲】
【請求項１】
便器本体と前記便器本体の排出口と建屋側の排水管とを連結する複数の屈曲部を備えた排水連結管とからなるサイホン作用を発生させて汚物・汚水を排出する水洗便器と、前記排水連結管の前記排出口と直近の第１屈曲部より下流側に衛生設備機器の排水管とを接続したことを特徴とする衛生設備機器の排水構造。
【請求項２】
前記水洗便器の便器本体が周囲にスカート部を備え、前記スカート部の内側で、前記便器本体のボール部の裏側面と建屋床面との空間部に前記排水連結管を内包した請求項１記載の衛生設備機器の排水構造。
【請求項３】
前記排水連結管の左右側部に前記衛生設備機器の排水管との接続部を設け、各接続部は蓋部材が着脱自在である請求項２記載の衛生設備機器の排水構造。
【請求項４】
前記便器本体の後部のスカート部に開口部を設け、前記排水連結管と前記衛生設備機器の排水管との接続部を前記開口部から突設して設けた請求項２または３記載の衛生設備機器の排水構造。
【請求項５】
前記衛生設備機器の排水管がフレキシブルチューブである請求項１乃至４いずれか記載の衛生設備機器の排水構造。
【発明の詳細な説明】
【０００１】
【発明の属する技術分野】
本発明は、トイレにおいて水洗便器と離れた位置に設けられた手洗器、洗面器、汚物流し等の衛生設備機器からの排水を水洗便器の排水管路に流すための構造に関する。
【０００２】
【従来の技術】
従来、トイレの中の手洗器などは、便器の洗浄水タンクの上部に手洗器を構成したり、図７に見られるように便器Ａと離して別に設置している。手洗器１０１などを別に設置した場合には、便器Ａの排水管１００とは別に手洗器などの排水管１０４を建屋側に設けている。
【０００３】
【発明が解決しようとする課題】
従来の洗浄水タンクの上部に手洗器を構成した便器では、便器がじゃまになり手洗いの行為に不便性があった。また、手洗いなどの行為の利便性を向上するために便器とは別に手洗器などを設置した場合は、便器の排水管とは別に手洗器などの排水管を、特別に設けた建屋側の排水管と接続しなくてはならない。
【０００４】
従って、トイレの中に排水管を２ヶ所設置する必要があり、工事の手間がかかるという問題点があった。特に便器を取替えたり、新たに手洗器などを設置するなどのリフォームの場合は、工事にかかる時間に制約がある。便器を取替える場合は、国際公開番号ＷＯ９５／２７８３３号公報に見られるように、建屋側の便器の排水管位置が様々であってもそのままの位置で設置が可能な便器が提供されているので、便器の交換を限られた時間の中で簡単に行なえる。
【０００５】
しかし、手洗器などの排水管工事は、建屋側の工事を伴うので、工事の費用が大きく、工事の時間も長く、リフォームという費用と時間の制約の中で行なうのに問題点があった。
【０００６】
この課題を解決するために、便器と離して別に手洗器などを設置する場合、手洗器などの排水管を建屋側に新たに設置することなく、手洗器などの排水管を便器に接続することができる便器の構造として図８のような形態が考案されてきた。
【０００７】
但し、この場合も便器がサイホン便器の場合は、不具合が生じる場合がある。サイホン便器は、洗浄水が流れ込んでトラップ流路３が満水になったときに、サイホン作用によって生じた負圧を利用して汚物・汚水を引き込んでいく仕組みとなっている。
【０００８】
しかし、図９のように別配管１０２が便器本体Ｂのトラップ流路３に合流されていると、別配管１０２側にも負圧が働き、その結果汚物・汚水を引き込む力にロスが生じてしまい、洗浄能力が低下してしまう不具合が生じてしまう。
本発明の目的は、手洗器などの衛生設備機器の排水管を建屋側に別に敷設することなく、サイホン作用によって生じた負圧を利用して汚物・汚水を排出する水洗便器の排水流路に前記水洗便器の洗浄性能の低下を招かずに前記衛生設備機器の排水することができる衛生設備機器の排水構造を提供することにある。
【００１１】
【課題を解決するための手段及び作用】
上記目的を達成するために、請求項１記載の発明は、便器本体と前記便器本体の排出口と建屋側の排水管とを連結する複数の屈曲部を備えた排水連結管とからなるサイホン作用を発生させて汚物・汚水を排出する水洗便器と、前記排水連結管の前記排出口と直近の第１屈曲部より下流側に衛生設備機器の排水管とを接続した衛生設備機器の排水構造であることを要旨とする。
この発明では、便器の洗浄時に発生するサイホン作用によって衛生設備機器の排水管に対してその排水管からの水、空気等を吸い込む程の吸引力（負圧力）が作用せず、便器の排水性能にも影響を及ばない。
【００１２】
請求項２記載の発明は、請求項１記載の衛生設備機器の排水構造において、前記水洗便器の便器本体が周囲にスカート部を備え、前記スカート部の内側で、前記便器本体のボール部の裏側面と建屋床面との空間部に前記排水連結管を内包したことを要旨とする。
この発明では、衛生設備機器の排水管が前記空間部内に隠蔽された状態で配設される。
【００１３】
請求項３記載の発明は、請求項２記載の衛生設備機器の排水構造において、前記排水連結管の左右側部に前記衛生設備機器の排水管との接続部を設け、各接続部は蓋部材が着脱自在であることを要旨とする。
この発明では、衛生設備機器の排水管が配設、接続工事に最適な位置の排水連結管に設けられた接続部に接続される。また、衛生設備機器の排水管を接続しない接続部には蓋部材を取り付けて閉塞する。
【００１４】
請求項４記載の発明は、請求項２または３記載の衛生設備機器の排水構造において、前記便器本体の後部のスカート部に開口部を設け、前記排水連結管と前記衛生設備機器の排水管との接続部を前記開口部から突設して設けたことを要旨とする。
この発明では、便器の外側部において衛生設備機器の排水管を接続される。
【００１５】
請求項５記載の発明は、請求項１乃至４いずれか記載の衛生設備機器の排水構造において、前記衛生設備機器の排水管がフレキシブルチューブであることを要旨とする。
【００１６】
【発明の実施の形態】
図１は本発明による水洗便器Ａと離して別に設けた衛生設備機器である手洗器１０１の排水管１０２を水洗便器Ａの排水流路に接続した一実施形態を示す斜視図である。
水洗便器Ａは、周囲にスカート部１０５を有する便器本体Ｂと、便器本体Ｂに当接して設置した洗浄水を貯水する洗浄水タンクＤと、便器本体Ｂのスカート部１０５に内包されて床面ＦＬに配設された建屋側に埋設した便器本体Ｂの排水管１００とを接続する排水連結管Ｃからなり、手洗器１０１の排水流路である排水管１０２を排水連結管Ｃとの接続管４に接続し、手洗器１０１からの排水を便器本体Ｂの排水管１００に排出するようにしている。
なお、手洗器１０１の排水管１０２には、便器からの臭気の逆流防止、サイフォン便器の場合にサイフォン作用に影響する空気が便器に混入するのを防止するために、その途中にほぼＵ字状のトラップ１０３を設けている。
【００１７】
【実施例】
（実施例１）
図２は水洗便器Ａの断面図で、便器本体Ｂの排水連結管Ｃと、図１における手洗器（図示しない）の排水管１０２との合流接続する位置を示している。
便器本体Ｂは、汚物をうけるボール部１と溜水部２と下水側と縁切りするためのほぼ逆Ｕ字状のトラップ流路３が一体に形成され、そのトラップ流路３の床面ＦＬを向く側に排水口５が設けられ、ボール部１の裏側面には結露防止のための断熱材１０が配設され、断熱材１０と床面ＦＬとの間に排水連結管Ｃが収まる空間部Ｅが形成されている。
また、便器本体Ｂのボール部１の上方には、そのボール部１に洗浄水を供給するための給水室６とリム通水路７が設けられる。
排水連結管Ｃは、便器本体Ｂの排水口５と接続する便器側接続管１１と、建屋側の排水管１００と接続する建屋側接続管１２の２部材で構成されている。
便器側接続管１１は略Ｌ字の形状をしておりその一方の端部１３は便器本体Ａの排水口５と対向して排水口５の外径より大径の開口部１４を備え、パッキン１５によって排水口５と開口部１４との間をシールしている。開口部１４の下流に所定の曲率半径の屈曲部１６を備えている。また他方の端部１７は建屋側接続管１２の一方の端部１８に嵌装される。
建屋側接続管１２は略逆Ｌ字の形状をしておりその他方の端部１９がパッキン２０によって建屋側の排水管１００と接続、シールしている。建屋側接続管１２の略逆Ｌ字のコーナー部を所定の曲率半径の屈曲部２１としている。
前記建屋側接続管１２の横引き側面部の接続部位９に排水管１０２を接続している。
【００１８】
図３は図２における便器本体Ｂの後部のスカート部１０５に開口部２２を設け、その開口部２２から前記接続部位９から便器本体Ｂの外側に接続管２３を突設し、手洗器１０１の排水管１０２を接続管２３の先端開口部に接続した水洗便器Ａの斜視図である。
以上の構成において、水洗便器Ａの洗浄の際、トラップ流路３、排水口５、排水連結管Ｃの屈曲部１６に至る排水の流路でサイホン作用を発生させて、汚物、汚水を建屋側の排水管１００に搬送する。
ところでサイホンが発生するためにはトラップ流路３に入ってきた水が一旦満水になる必要があるが、その時に屈曲部１６に水があたりシールされるような形になり満水状態になる。この満水状態になってはじめてサイホン力が発生するが、その際に屈曲部１６より下流側の接続部位９で排水連結管Ｃが接続されているため満水状態に影響がなく、その後サイホン作用によってトラップ流路内に水が引かれていく力にも影響がない。このため洗浄性能に悪影響がない。
【００１９】
（実施例２）
図４は実施例１の同様の水洗便器Ａにおいて、便器本体Ｂの排水口５の位置と、建屋側の排水管１００の位置が離れている場合、排水連結管Ｃを便器側接続管１１と、建屋側接続管１２、それらを連結する連結管２５の３部材で構成したものである。
連結調節管２５は、その一端が便器側接続管１１を外装し、他端が建屋側接続管１２に内装して連結している。
排水管１０２を接続している接続部位９は実施例１と同様に建屋側接続管１２に設けている。
以上の構成において、水洗便器の洗浄の際、トラップ流路３、排水口５、排水連結管Ｃの屈曲部１６に至る排水の流路でサイホン作用を発生させて、汚物、汚水を建屋側の排水管１００に搬送する。
この例においても手洗器の排水管（図示しない）は排水連結管Ｃを構成する便器本体Ｂの排出口５の直近の屈曲部１６の下流の建屋側接続管１２に連絡している。そのため実施例１と同様に、サイホン力の発生に悪影響を及ぼさず洗浄性能を確保することができる。
この場合、便器本体Ｂの排水口５の位置と建屋側の排水管１００の位置が離れその距離が施工場所によって異なっていても連結管２５の長さを切断、または異なった長さの連結管２５を準備する等によって容易に対応することができる。
【００２０】
（実施例３）
この例は、排水連結管Ｃに手洗器の排水管を接続するための接続部位を複数箇所設けたものである。,
図５は、図２のＸ―Ｘ矢視図で、接続部位を建屋側接続管１２の中心線に対して左右側面の対称の位置に設けた例である。
便器本体Ｂの後部２６の近傍の左右側面に図３と同様に対称の位置に開口部２７、２８を設けている。
建屋側接続管１２の左右側面に内部排水流路に連絡する連絡口２９、３０を突設している。一方の連絡口２９に手洗器の排水管と建屋側接続管１２とを接続するための排水接続管３２の一端を接続し、他端を開口部２７から便器本体Ａの外側に突出させている。  他方の連絡口３０は蓋３１で塞いでいる。
排水接続管３２は鉤形状の第１接続管３２ａと第２接続管３２ｂとで構成し、第１接続管３２ａの一端を連絡口２９に連結し、第２接続管３２ｂの一端を便器本体Ｂから突設させている。第１接続管３２ａと第２接続管３２ｂとの連結は便器本体Ａのスカート部１０５の内側で行っている。
また、排水接続管３２の断面形状は一般的な円形形状に限定されず、手洗器の排水管の排水能力や、排水接続管３２を敷設する場合に便器本体Ｂのスカート部１０５との間に収まるような形状（例えば、縦長楕円形状、半円形状、矩形等）にするなど適宜決定される。
本実施例の場合、手洗器の排水管の配設経路によって、便器本体Ｂの左右いずれかの方向からの接続が可能となり施工性が向上する。
また、開口部２９、３０を便器本体Ｂの後部２６の近傍の左右側面に設けたが、便器器本体Ｂの設置場所、条件等によっては便器本体Ｂの後部２６に設けるなど便器本体Ｂの形状によっては適宜変更することができる。
【００２１】
（実施例４）
図６は便器本体Ｂの後部にキャビネット１０６を備えた例で、キャビネット１０６内に洗浄水タンクＤを配設し、手洗器１０１の排水管１０２との接続部を併せて隠蔽している。更に、手洗カウンター１０７で手洗器１０１の排水管１０２を収めた状態を示す。
排水連結移管Ｃの構造は、前記実施例と同様である。
本実施例では、キャビネットで洗浄水タンクと便器の接続部を隠蔽し、便器回りの清掃性が向上する。さらに収納部まで設けた収納機能付便器においては、手洗器などの衛生設備機器の排水管、その排水管と水洗便器の排水連結管との接続部を併せて隠蔽できるので、トイレ内の見栄えも良く清掃性も損なうことがない。
【００２２】
以上の実施例においては、排水連結管Ｃを複数の部材で構成しているが、一部材で構成することもできる。
また、手洗器の排水管をフレキシブルチューブで構成することもできる。この場合、手洗器の排水管の配設の自由度があり施工性が向上する。
【００２３】
【発明の効果】
本発明は上記構成により次の効果を発揮する。
水洗便器と離して別に設けた手洗器などの衛生設備機器の排水管を水洗便器の排水流路に接続したことで、施工性の向上・施工費用の低減が可能となる。
その際、水洗便器のサイホン作用の低下を招くことなく洗浄能力を維持できる。
【図面の簡単な説明】
【図１】水洗便器と離して別に設けた手洗器の排水管を水洗便器の排水流路に接続した本発明の一実施形態を示す斜視図である。
【図２】本発明の水洗便器の断面図である。
【図３】図２の水洗便器に手洗器の排水管を接続した状態を示す斜視図である。
【図４】本発明の別の実施例の水洗便器の断面図である。
【図５】図２のＸ―Ｘ矢視図である。
【図６】水洗便器の後部にキャビネットを備えた別の実施例の斜視図である。
【図７】従来の水洗便器と手洗器とを離して設置した状態を示す斜視図である。
【図８】従来の水洗便器と手洗器とを離して設置し、手洗器の排水管を便器に接続した示す斜視図である。
【図９】従来の水洗便器と手洗器とを離して設置し、手洗器の排水管を便器本体のトラップ流路に接続した示す断面図である。
【符号の説明】
Ａ…水洗便器
Ｂ…便器本体
Ｃ…排水連結管  洗浄水タンク
Ｄ…洗浄水タンク
Ｅ…空間部
１…ボール部
２…溜水部
３…トラップ流路
４…接続管
５…排水口
６…給水室
７…リム通水路
９…接続部位
１０…断熱材
１１…便器側接続管
１２…建屋側接続管
１３、１７…便器側接続管の端部
１８…建屋側接続管の端部
１４、２０…パッキン
１６、２１…屈曲部
２２、２７、２８…開口部
２３…接続管
２５…連結調節管
２６…便器本体Ａの後部
２９、３０…連絡口
３１…蓋
３２…排水接続管
１００…建屋側の排水管
１０１…手洗器
１０２…手洗器の排水管
１０３…手洗器の排水管のトラップ
１０４…建屋側に埋設した手洗器用排水管
１０５…スカート部
１０６…キャビネット
１０７…手洗カウンター
【図１】
0003649022.tif 000002
【図２】
0003649022.tif 000003
【図３】
0003649022.tif 000004
【図４】
0003649022.tif 000005
【図５】
0003649022.tif 000006
【図６】
0003649022.tif 000007
【図７】
0003649022.tif 000008
【図８】
0003649022.tif 000009
【図９】
0003649022.tif 000010